(57)【要約】本発明は、発光手段を含み、現行の赤光及び緑光信号設備に隣接して設置される補助港湾標識灯に関連する。標識灯は、自立アーチ体を含む。そのアーチ体は、隣接信号設備よりも高い。標識灯は、電子制御／電力供給手段も含む。発光手段は、港湾進入を試みる船舶から視認できるようにアーチ体に沿って配置される。標識灯の発光色は、隣接信号設備の発光色に対応する。【特許請求の範囲】
【請求項１】
発光手段（２）を有した港湾標識灯であって、
港湾入口に設置されている現行赤光信号設備（３）または現行緑光信号設備（４）に隣接して設置されるものであり、
それら現行光信号設備よりも高い頂点を有した自立アーチ体（５）と、
前記発光手段（２）を制御し、電力を供給する電子制御／電力供給装置（６）とを含んでおり、
前記発光手段（２）は、 前記アーチ体（５）に沿って設置され、港湾に進入を試みる船舶から視認でき、該発光手段（２）の発光色は、 隣接する前記現行信号設備の発光色に対応していることを特徴とする港湾標識灯。
【請求項２】
発光手段（２）は、 複数の個別発光要素（７）から成り、該個別発光要素（７）は、 自立アーチ体（５）に沿って一連に配置され、電子制御／電力供給装置（６）は、 隣接する現行信号設備の方向に向かって、該現行信号設備から最遠の個別発光要素から最近の個別発光要素にまで、順次、反復発光することを特徴とする請求項１記載の港湾標識灯。
【請求項３】
個別発光要素（７）は、 ＬＥＤであることを特徴とする請求項１または２に記載の港湾標識灯。
【請求項４】
電子制御／電力供給装置（６）は、 アーチ体表面の少なくとも一部に設置された一連のソーラパネル（１０）を含み、発光手段（２）は、 港湾進入船舶から視認可能な該アーチ体（５）側部に設置されていることを特徴とする請求項１から３のいずれかに記載の港湾標識灯。
【請求項５】
自立アーチ体（５）は、 連結されて該自立アーチ体を構成する複数の連結された個別モジュール体（１１）を含んでおり、該個別モジュール体（１１）は、 それぞれ個別発光要素（７）として機能することを特徴とする請求項１から４のいずれかに記載の港湾標識灯。
【請求項６】
個別モジュール体（１１）は、 その前面にＬＥＤマトリックス（１２）を有していることを特徴とする請求項５記載の港湾標識灯。
【請求項７】
それぞれの個別モジュール体（１１）は、 その上面にソーラパネル（１０）を有していることを特徴とする請求項６記載の港湾標識灯。
【請求項８】
少なくとも発光手段（２）が提供されたアーチ体（５）部分の断面は、 四辺形であることを特徴とする請求項１から７のいずれかに記載の港湾標識灯。
【請求項９】
少なくとも発光手段（２）が提供されたアーチ体（５）部分の断面は、 長方形であることを特徴とする請求項８記載の港湾標識灯。
【請求項１０】
アーチ体（５）の材質は、 ステンレス鋼であることを特徴とする請求項１から９のいずれかに記載の港湾標識灯。
【発明の詳細な説明】
【技術分野】
【０００１】
本発明は、 海上航行信号標識灯に関する。特に本発明は、 発光手段を備え、港湾内へ船舶を安全に導く港湾標識灯に関する。
【背景技術】
【０００２】
海上航行標識灯の技術分野では、港湾入口での標識灯あるいは発光信号の使用は規則化されている。通常においては、港湾入口の左縁部は、赤光あるいは赤灯で標識され、右縁部は緑光あるいは緑灯で標識されている。
【０００３】
港湾に進入を試みる船舶のナビゲータ（操舵士、航海士）は、遠距離からそれらの一方または両方の投光を目視し、港湾入口の位置を確認して船舶を正しい航路で操舵することができる（赤光の右側及び緑光の左側を航行）。
【０００４】
この信号コードまたは信号表示を規制する規則は、大部分が１９世紀末に決定された。それら規則は、今日でもまだ本質的には有効であるが、光公害の状況は大きく悪化した。特に大都市の港湾は、夜の娯楽施設のネオンで溢れており、それらに車のヘッドライト並びに街の信号灯や街灯が加わって港湾進入表示光信号を区別することが著しく困難になってきている。この困難に悪天候条件（濃霧、雨、高波、等々）が加わると、港湾入口の標識灯の見極めは格段に困難となる。
【０００５】
たとえ現代の航行操舵装置が、ナビゲータによる直接的な視認を必要とせずに正確に船舶を操舵させるものであっても、多くの場合、ナビゲータは、障害物及び航路の視認を希望し、視界が乏しいときには、その航路を示す基準物の目視による確認を強く望む。
【０００６】
さらに、航行を容易にさせる電子装置には、不調あるいは故障の危険が伴う。特に前述のような悪天候の場合には電子装置の不調や故障の可能性は高くなる。
【発明の開示】
【発明が解決しようとする課題】
【０００７】
これらの問題を解消するため、本発明は、視界不良時であってもナビゲータによる視認を容易にさせるため、港湾入口で正規の発光標識を補佐する補助標識灯を提供する。一般的には、大部分の港湾標識灯は異なる形態の電灯手段を利用するが、港湾入口の標識手段には幾種類かの異なる形態が存在する。
【０００８】
しかし、本発明の補助標識灯のように正規の信号灯を補佐する目的で、現行の海上航行規則を変更することなく、たとえ視界不良条件時であっても港湾入口の位置確認を遠距離からでも正確に視認させる装置は存在していなかった。
【０００９】
本発明の目的は、港湾入口で既存の赤と緑の発光信号、発光柱あるいは灯台に隣接して視認させる港湾入口補助標識灯の提供にある。
【課題を解決するための手段】
【００１０】
本発明の標識灯は、自立式アーチ形状であり、既存の発光柱、灯台あるいは発光信号の光源位置よりも高い位置に最高発光位置を有するものである。
【００１１】
本発明の標識灯は、発光手段に電力を供給し、同時に発光手段を自在に制御する電子装置をも含む。
【００１２】
複数の発光手段が自立式アーチ体の両端部間に提供され、港湾に接近する船舶から確実に視認できるようになっている。この発光手段の色彩は、それぞれ隣接する既存の赤光あるいは緑光である光柱、灯台あるいは発光信号の光色に対応したものである。
【００１３】
本発明の別の特徴によれば、それら発光手段は、順次発光するように設計された複数の個別発光要素である。
【００１４】
本発明の一実施例においては、アーチ体の電子装置は、これら複数の個別発光要素を、正規の発光柱、灯台あるいは発光信号から最も遠方の発光要素から正規の発光信号に向かって、順次、反復発光させるように設計されている。
【００１５】
本発明の別の特徴によれば、それら個別発光要素はＬＥＤである。
【００１６】
本発明の別の特徴によれば、本発明の標識灯の電力供給手段は、一連のソーラパネル（太陽電池パネル）から成る。
【００１７】
発光手段は、港湾進入時に船舶から視認可能なアーチ体側面に提供される。ソーラパネルは、アーチ体の残り部分に敷設される。
【００１８】
本発明のさらに別の特徴によれば、本発明のアーチ体は、それぞれがアーチ体の一部を構成し、それぞれが発光手段である複数の個別モジュール体により組み立てられる。
【００１９】
本発明のさらなる特徴によれば、個別発光要素は、前面パネルにＬＥＤマトリックスを組み込んでいる。
【００２０】
本発明のさらに別の特徴によれば、それぞれの個別モジュール体は、上面にソーラパネルを組み込んでいる。
【００２１】
本発明のさらに別の特徴によれば、アーチ体は、少なくともその発光手段の部位にて断面が四辺形である。
【００２２】
本発明のさらに別の特徴によれば、アーチ体は、少なくともその発光手段の部位にて断面が方形である。
【００２３】
本発明の別特徴によれば、アーチ体は、大部分がステンレス鋼製である。
【００２４】
本技術分野の専門家であれば、以下の特徴と利点を有する本発明の標識灯の新規性と進歩性とを理解するであろう。
【００２５】
本発明は、上述の問題点を解消する標識灯を提供する。本発明の標識灯は、厳しい自然環境に耐え抜く頑強性を有するように設計でき、港湾の入口に設置されると、たとえ視界不良時であっても港湾に接近する船舶から確実に視認できる。本発明の補助標識灯は、現行の正規標識灯の役割の確実な履行を保証するものである。
【発明を実施するための最良の形態】
【００２６】
以下において、本発明の標識灯の好適実施例を図示する添付図面を利用して詳細に説明するが、それら実施例は本発明を限定するものではない。図面は、本発明の異なる形態の実施例を図示する。
【００２７】
図１で示す本発明の一実施例による補助標識灯１は、港湾入口の右側端を示す緑光信号灯４に隣接して設置されている。図１は、本発明の標識灯１の一般的な使用例である。
【００２８】
図は、港湾入口の左右両端を知らせる赤光信号灯３及び緑光信号灯４を図示している。現在の規則では、このように赤光灯３と緑光灯４の設置が義務付けられている。港湾に接近する船舶のナビゲータは、赤光灯３と緑光灯４を視認して港湾の入口を確認し、その位置に合わせて船舶を航行進入させる。
【００２９】
前述したように、この種の赤光信号灯３及び緑光信号灯４の問題点は、現在の都市及びその港湾施設が非常に明るく、赤光と緑光を含んで多種多様な色彩光で充満していることである（夜の娯楽施設の全体光度は、そのような港湾の赤及び緑信号灯の光度の何倍にも達する）。その結果、遠方のナビゲータは、無数の異なる色光が惑わされ、港湾信号灯（３及び４）の視認に手間取る。この状況は、高波、濃霧、雨、雪、等々の悪天候でさらに悪化し、視界が零になることもあり得る。
【００３０】
図１で示すように、本発明の補助標識灯１を正規信号灯４と共存させることにより信号灯４の位置を確実に視認させることができる。
【００３１】
ナビゲータは、都会のイルミネーションに惑わされることなく、本発明の補助標識灯１のアーチ体５で示される緑光信号灯４を明確に確認できる。
【００３２】
標識灯１のアーチ形状は、遠方から容易に視認でき、そのユニークな形状は、他の発光源との混同を避けさせる。
【００３３】
さらに、本発明の標識灯は、単純形態であり、構築及び設置が容易ある。アーチ体５の最高部分は、海面に対して港湾信号管理当局の基準に従った位置に提供できるため、この標識灯１のアーチ体５が示す正規信号灯の視認性は、高い。すなわち、アーチ体５は、発光信号が高波時であっても視認できる高さのアーチ体となるように設計できる。
【００３４】
また、アーチ状発光体は、他の発光体との混同が効果的に回避できる程度にユニークである。個別モジュール体１１（図５）で構成される本発明のアーチ状標識灯１は、取り扱い、運搬及び設置が容易である。
【００３５】
加えて、別の実施例では、アーチ体５の発光は、アーチ体５に沿って配列された一連の個別発光要素７で構成される。それら発光要素７は、港湾に接近する船舶から視認できる。これら個別発光要素７を電子制御／電力供給装置６と共に使用すると、個別発光要素７は、自在な発光パターンを提供し、アーチ体５に異なる発光外観を提供する。
【００３６】
本発明の標識灯１の好適な発光形態は、アーチ型であり、正規信号灯４（３）から最遠の発光要素８から最近の発光要素９にまで順次に反復点滅させ、港湾入口の左右端に設置された正規信号灯４（３）の位置に目を誘導する。このように正規信号灯に向かってアーチ体５内をアーチ状に移動する光（標識灯１が設置されている港湾入口の位置によって緑光あるいは赤光）が提供され、信号灯３及び／又は信号灯４の位置を誤認の可能性を排除して指し示すことができる。このような組み合わせ発光信号（正規信号灯３及び４並びに補助標識灯１）は、悪天候による視界不良時であっても船舶ナビゲータに港湾入口を確実に視認させる。
【００３７】
港湾の形態、状況並びに規則に照らして個別発光要素７の発光アレンジは、設計者が決定する要因である。発光要素７の発光パターンは、プログラム可能であり、電子装置６によってデザイン並びに切り替えができる。
【００３８】
電力供給装置を兼ねることができる標識灯１の発光制御電子装置６は、アーチ体５に内蔵でき、安全扉を介してアクセスできるように提供することができる。アーチ体５に人員を派遣せずとも発光手段２を港湾制御センターから遠隔的にケーブルあるいは無線を介して制御することもできる。個別発光要素７は、低電力消費型であり、自在なデザインが可能なＬＥＤ、あるいはＬＥＤマトリックス１２が好適であるが、ＬＥＤ以外の発光体であっても構わない。
【００３９】
さらに、小型ＬＥＤの使用によって発光パターンが多様となり、ＬＥＤマトリックス１２の使用によってメッセージを伝達することさえ可能である。
【００４０】
アーチ体５の内蔵電子回路への電力供給に関して、本発明の標識灯１の立地条件を最大限に活用できるソーラパネル１０が好適に利用できる。
【００４１】
図５では、ソーラパネル１０の１つがアーチ体５の個別モジュール１１に設置されている。必要電力によっては、ソーラパネル１０を標識灯１の表面全体に設置することができる。余裕があれば他の港湾設備に電力を提供することもできる。
【００４２】
この特徴に関して、アーチ体５の断面は、四辺形であり、好適には長方形であり、ソーラパネル１０の設置に適している。
【００４３】
この実施例の場合にはソーラパネル１０はそれぞれの個別モジュール１１に接続されるが、ソーラパネル１０はアーチ体５が分割できない標識灯１の実施例であっても同様に利用できる。例えば、スポーツマリーナや小規模な港湾では機能よりも美観に重点を置いた標識灯１の設置が望まれよう。そのような場合、アーチ体５は、小型で、デザインを重視したものにし、またアーチ体５を一体的なものとすることが有利であろう。
【００４４】
本発明の標識灯１のこの美観的要素は、本発明の別な重要特徴である。なぜなら港湾の入口は、旅行者の第１印象を形成するからである。この理由により、本発明のアーチ体５の意匠及び形状は、個々の港湾のニーズにマッチしたものとすることができるが、この特徴も本発明の重要な一部である。
【００４５】
アーチ体５に関して留意すべきことは、アーチ体５が設置される環境の厳しさである。風雨並びに波浪による風化及び塩害に鑑みて物理的並びに化学的抵抗性のある材料の使用が必要である。本発明の１好適実施例においては、アーチ体５の本体には、ステンレス鋼が使用される。標識灯１の波浪に対する抵抗性を向上させるため、波を受けるアーチ体の表面積を小さくする等の工夫を加えることは有利である。
【００４６】
アーチ体５の寸法やデザインは、港湾の状況に応じて変更できるが、以下にその一例を紹介する。アーチ体５は、頂点高が８ｍであり、最大幅を１３ｍとする。発光手段２は、４ｍの高さに設置する。これは、発光手段２を悪戯から保護し、同時に波浪その他から物理的に保護するためである。
【００４７】
以上、本発明の特徴を実施例の図面を使用して解説した。実施例の細部の変更は本発明の範囲内である。
【図面の簡単な説明】
【００４８】
【図１】図１は、正規信号灯に隣接して設置された本発明の補助標識灯を備えた港湾入口の概略図である。
【図２】図２は、本発明の一実施例によるアーチ状標識灯の概略図である。
【図３】図３は、図２で示す本発明の標識灯のＡ−Ｂ線に沿った概略断面図である。
【図４】図４は、図２で示す本発明の標識灯の概略平面図である。
【図５】図５は、本発明のアーチ式標識灯の構成部分である個別モジュールの斜視図である。
【図１】
2008527452.tif 000002
【図２】
2008527452.tif 000003
【図３】
2008527452.tif 000004
【図４】
2008527452.tif 000005
【図５】
2008527452.tif 000006
【国際調査報告】
2008527452.tif 000007
2008527452.tif 000008
2008527452.tif 000009
2008527452.tif 000010
2008527452.tif 000011